【事件の表示】
　特願２００６−３３８７４７「検知対象光伝搬」拒絶査定不服審判事件〔平成１９年　７月　５日出願公開、特開２００７−１７１１７９〕について、次のとおり審決する。
【結　論】
　本件審判の請求は、成り立たない。
【理　由】
第１　手続の経緯
　
　本願は、平成１８年１２月１５日（パリ条約による優先権主張２００５年１２月２２日、米国）の出願であって、平成２４年１月１３日付けで拒絶理由が通知され、同年４月１３日付けで意見書が提出されるとともに、同日付けで手続補正がなされ、同年１０月２５日付けで拒絶理由が通知され、平成２５年１月２９日付けで意見書が提出されるとともに、同日付けで手続補正がなされたが、同年８月２７日付けで同手続補正について補正の却下の決定がなされるとともに、同日付けで拒絶査定がなされ、これに対して、同年１２月２５日に拒絶査定不服審判の請求がなされ、それと同時に手続補正がなされたものである。
　
　
第２　平成２５年１２月２５日付けの手続補正についての補正の却下の決定
　
［補正の却下の決定の結論］
　
　平成２５年１２月２５日付けの手続補正（以下「本件補正」という。）を却下する。
　
　
［理由］
　
１　本件補正について
　
　本件補正により、特許請求の範囲の請求項１に係る発明は、平成２４年４月１３日付けの手続補正書の特許請求の範囲の請求項１に記載の、
　
「　一種類又は複数種類の刺激に反応して、波長に関する情報が経時的に変化する光を出射する刺激波長コンバータと、
　透過構造の入射面上で一方向又は多方向沿いに拡がるよう刺激波長コンバータからの光を拡散させる拡散部材と、
　拡散部材を介しその入射面にて刺激波長コンバータから受光するとともに、その出射面から光を出射する透過構造であって、その光子エネルギ透過特性が入射面沿いに横変している透過構造と、
　透過構造から出射された光を受光する複数の検知位置が設けられるとともに、検知位置にて検知した光子量を示す電気信号を出力する、光子検知部材と、
　光の波長帯域における波長偏倚を検知するための回路であって、光子検知部材を備え、異なる光子検知部材から出力された電気信号に基づいた、光子量の差を表す差分信号を出力する回路と、
　を備え、
　透過構造の入射面上で光が拡がる方向が、透過構造の光子エネルギ透過特性の横変方向と直交していない方向を含むこととなるよう構成された装置。」
が
　
「　一種類又は複数種類の刺激に反応して、波長に関する情報が経時的に変化する光を出射する刺激波長コンバータと、
　透過構造の入射面上で一方向又は多方向沿いに拡がるよう刺激波長コンバータからの光を拡散させる拡散部材と、
　拡散部材を介しその入射面にて刺激波長コンバータから受光するとともに、その出射面から光を出射する透過構造であって、
その入射面は、複数の面と、隣接する面同士を繋ぐ段差状の勾配とが設けられるように形成され、
複数の面間で
　透過構造
の第１の面
第１の波長を有する
第１の
と、透過構造の第２の面から出射された第２の波長を有する光を受光する第２の複数の検知位置と
第１の複数の
及び第２の複数の検知位置のそれぞれ
　光の波長帯域における波長偏倚を検知するための回路であって、光子検知部材を備え、
第１の複数の検知位置の一つに対応する光子検知部材と第１の複数の検知位置の他の一つに対応する
と
それぞれの
を演算処理して第１の波長に関する信号を取得するとともに、第２の複数の検知位置の一つに対応する光子検知部材と第２の複数の検知位置の他の一つに対応する光子検知部材とから出力されたそれぞれの電気信号を演算処理して第２の波長に関する信号を取得し、それぞれ取得した第１の波長に関する信号及び第２の波長に関する信号に
　を備え、
　透過構造の入射面上で光が拡がる方向が、透過構造の光子エネルギ透過特性の横変方向と直交していない方向を含むこととなるよう構成された装置。」
と補正された。（下線は補正箇所を示す。）
　
　そして、この補正は、
請求項１に記載された発明特定事項である「透過構造」について、「
その入射面は、複数の面と、隣接する面同士を繋ぐ段差状の勾配とが設けられるように形成され
複数の面間で
同じく「光子検知部材」について、「複数の検知位置」が「透過構造
の第１の面
第１の波長を有する
第１の
と、透過構造の第２の面から出射された第２の波長を有する光を受光する第２の複数の検知位置
第１の複数の
及び第２の複数の検知位置のそれぞれ
同じく「光の波長帯域における波長偏倚を検知するための回路」が出力する「異なる光子検知部材から出力された電気信号に基づいた、光子量の差を表す差分信号」について、「
第１の複数の検知位置の一つに対応する光子検知部材と第１の複数の検知位置の他の一つに対応する
と
それぞれの
を演算処理して第１の波長に関する信号を取得するとともに、第２の複数の検知位置の一つに対応する光子検知部材と第２の複数の検知位置の他の一つに対応する光子検知部材とから出力されたそれぞれの電気信号を演算処理して第２の波長に関する信号を取得し、それぞれ取得した第１の波長に関する信号及び第２の波長に関する信号に
本件補正における請求項１に係る発明の補正は、平成１８年法律第５５号改正附則第３条第１項によりなお従前の例によるとされる同法による改正前の特許法（以下「平成１８年改正前特許法」という。）第１７条の２第４項第２号に掲げる事項（特許請求の範囲のいわゆる限定的減縮）を目的とするものである。
　
２　独立特許要件についての検討
　
（１）そこで、次に、本件補正後の特許請求の範囲の請求項１に係る発明（以下「本願補正発明」という。）が特許出願の際独立して特許を受けることができるものか（平成１８年改正前特許法第１７条の２第５項において準用する同法第１２６条第５項の規定に違反しないか）について検討する。
　
（２）引用例
　
ア　原査定の拒絶の理由に引用され、本願の優先日前に頒布された刊行物である特開２００４−２５２２１４号公報（以下「引用例１」という。）には、次の事項が記載されている（下線は当審において付加したものである。）。
（ア）「【０００１】
【発明の属する技術分野】
本発明は複数の波長の解析に使用するのに好適な任意波長選択フィルタおよびこの任意波長選択フィルタを使用して波長の監視等のモニタを行うマルチチャネルモニタならびに血糖値等の測定を行う生体検査装置に係わり、特に簡易な測定に使用可能な任意波長選択フィルタ、マルチチャネルモニタおよび生体検査装置に関する。」
（イ）「【０００８】
図３７は、後者の特許文献２に示された血糖値測定装置の概要を示したものである。被験者の指１０１には第１および第２の半導体レーザ（ＬＤ）１０２、１０３からそれぞれ第１の波長λ１（６８０ｎｍ）と第２の波長λ２（８３０ｎｍ）の２種類の波長の光１０４、１０５が照射される。これらの光１０４、１０５は指１０１を透過した後、それぞれに対応した第１または第２の受光素子（ＰＤ）１０６、１０７で受光される。第１および第２の受光素子１０６、１０７の出力はメモリ１０８に入力されて、その時点での測定結果として記憶されるようになっている。
【０００９】
血糖値の測定は、被験者の空腹時に初回が行われ、その後は一定時間間隔でグルコース糖を規定量飲んでは測定を繰り返す。これにより、グルコース糖による血糖値が増加していき、その様子がそれぞれの測定結果としてメモリ１０８に記憶される。所定回数の測定が終了すると、制御部１０９はメモリ１０８からそれぞれの測定結果を読み出して演算部１１１に与え、所定の演算を行わせる。演算結果１１２は制御部１０９の制御によって判断部１１３に渡されて糖尿病の有無の判断が行われるようになっている。
【００１０】
図３８は、この提案による波長と吸光度との関係を表わしたものである。横軸は波長を、縦軸は吸光度を表わしている。曲線１２１は血液中のヘモグロビンが還元ヘモグロビンだけの時の吸光度特性を示している。また、曲線１２２は血液中のヘモグロビンが酸化ヘモグロビンだけの時の吸光度特性を示している。実際の生体の血液のヘモグロビンは、還元ヘモグロビンと酸化ヘモグロビンが混在した状態となっている。そこで、実際の血液の吸光度を第１の波長λ１と第２の波長λ２の光を使用して測定して、これらの波長λ１、λ２の吸光度の差ｄ１、ｄ２を取ることで、測定血液の還元ヘモグロビンと酸化ヘモグロビンの割合を判別するようにしている。」
（ウ）「【００５２】
図１は本発明の第１の実施例の任意波長選択フィルタを構成するそれぞれの任意波長選択フィルタ部材を示したものである。第１〜第５の任意波長選択フィルタ部材２０１〜２０５は、それぞれ幅１．９５ｍｍ（ミリメートル）で長さが９．９５ｍｍ、厚さが１ｍｍの帯状をしている。第１の任意波長選択フィルタ部材２０１は、透明基板の上に膜厚が連続的に異なる傾斜フィルタを形成したもので、傾斜フィルタは短波長側が４００ｎｍ（ナノメートル）から長波長側が４５９．７ｎｍまでの波長を選択的に透過することができる。第２の任意波長選択フィルタ部材２０２は、同じく透明基板の上に膜厚が連続的に異なる傾斜フィルタを形成したもので、短波長側が４６０．３ｎｍから長波長側が５１９．７ｎｍまでの波長を選択的に透過することができる。第３の任意波長選択フィルタ部材２０３は、以上と同一構造で、短波長側が５２０．３ｎｍから長波長側が５７９．７ｎｍまでの波長を選択的に透過することができる。第４の任意波長選択フィルタ部材２０４は、以上と同一構造で、短波長側が５８０．３ｎｍから長波長側が６３９．７ｎｍまでの波長を選択的に透過することができる。最後に第５の任意波長選択フィルタ部材２０５は、以上と同一構造で、短波長側が６４０．３ｎｍから長波長側が６９９．７ｎｍまでの波長を選択的に透過することができる。
【００５３】
第１〜第５の任意波長選択フィルタ部材２０１〜２０５は、それぞれ図示しない透明基板上に形成されたものであり、上記した寸法に短冊状に切断されて得られる。このとき、
短冊の長手方向が膜厚勾配を有する方向となる。
【００５４】
図２は、この完成した任意波長選択フィルタを示したものである。張り合わされた側の辺としての短辺が９．７５ｍｍで長辺が９．９５ｍｍの任意波長選択フィルタ２１１が完成する。」
（エ）「【００５６】
図３は、本実施例で使用される任意波長選択フィルタ部材の原理的な構成を示したものである。ここでは第１の任意波長選択フィルタ部材２０１を示しているが、第２〜第５の任意波長選択フィルタ部材２０２〜２０５も基本的に同様の構成となっている。第１の任意波長選択フィルタ部材２０１は、
透明な基板２２１とこの基板２２１上に形成され、図で左端側から右端側に向けて位置に応じて一様に厚さが変化する透明な第１の誘電体薄膜２２２と、この第１の誘電体薄膜２２２の上に形成され、同じく図で左端側から右端側に向けて位置に応じて一様に厚さが変化する透明な第２の誘電体薄膜２２３とから構成されている。
（オ）「【００９０】
図１２は任意波長選択フィルタと２次元イメージセンサの配置関係を表わしたものである。
任意波長選択フィルタ３０５は
波長範囲の互いに異なる第１〜第１０の任意波長選択フィルタ部材３１１〜３２０によって構成されている。これら任意波長選択フィルタ部材３１１〜３２０は、それぞれ幅１ｍｍで長さが１０ｍｍのサイズとなっており、対向する側面同士を図示しない接着剤で固着している。
【００９１】
任意波長選択フィルタ３０５を構成する第１〜第１０の任意波長選択フィルタ部材３１１〜３２０には、可視域から赤外域まで広範囲の波長域に対して透明で安定な誘電体を使用する。この第２の実施例では第１の実施例の場合と同様に
第１の誘電体薄膜としてＮｂ
２
Ｏ
５
を使用し、第２の誘電体薄膜としてＳｉＯ
２
を使用している。
【００９２】
次の表１は、第１〜第１０の任意波長選択フィルタ部材における波長可変範囲を示している。この表１に示すように第２の実施例の第１〜第１０の任意波長選択フィルタ部材３１１〜３２０の場合には、第１の実施例の場合と異なり４００ｎｍから１１００ｎｍの範囲で波長の抜けは生じていない。
【００９３】
【表１】
　　　　　　　　　　　　　　　　　　　　　　　　　　　　　　」
（カ）「【０１０１】
図２７は、図１１に示したマルチチャネルモニタをより具体的に表わしたものである。
マルチチャネルモニタ３００の白色光源３５０から出力される４００ｎｍから１１００ｎｍまでの波長範囲を包含する光は第１の光ファイバ３５１によって第１のコリメータレンズ３５２まで導かれ、コリメートされた光は波長のモニタの対象となるサンプル３５３に照射される。サンプル３５３を中心として第１のコリメータレンズ３５２と対称の位置には第２のコリメータレンズ３５４が配置されており、サンプル３５３を透過した光が集光されて第２の光ファイバ３５５の一端に結合するようになっている。第２の光ファイバ３５５の他端には拡大レンズ３５６が配置されている。拡大レンズ３５６によって拡大されたビーム径は第３のコリメータレンズ３５７に入射して平行な広帯域光３０２とされ、
バンド反射ミラー３０１に
入射する。そして、その反射光３０４
１
〜３０４
１０
が任意波長選択フィルタ３０５の第１〜第１０の任意波長選択フィルタ部材３１１〜３２０
の対応するものに照射される。そして、この任意波長選択フィルタ３０５によって波長ごとに分解された光が２次元イメージセンサ３０７に入射して、それぞれの波長の光の強度に応じたデータ３０８が駆動・分析部３０９に入力されて、波長ごとのモニタが行われる。
【０１０２】
図２８は、２次元イメージセンサの一部を表わしたものである。
２次元イメージセンサ３０７は、Ｘ軸方向およびＹ軸方向に隙間なく配置された多数の升目状のピクセル３５９から構成されている。第１の任意波長選択フィルタ部材３１１は、その長手方向がＸ軸方向と一致して配置されており、Ｙ軸方向のｎ個ずつのピクセル（この図ではｎは“３”）と対応している。
２次元イメージセンサ３０７における第１の任意波長選択フィルタ部材３１１に対応した領域では、それぞれのピクセル３５９はＸ軸方向の位置に対応して４００ｎｍから４５０ｎｍまでの波長の光を選択的に受光することになる。
【０１０３】
図１２に示した
第２〜第１０の任意波長選択フィルタ部材３１２〜３２０も
第１の任意波長選択フィルタ部材３１１と同様にＸ軸方向を長手方向として配置され、Ｙ軸方向のｎ個ずつのピクセルと対応している。したがって、これらについてもそれぞれ表１に示した波長範囲でＸ軸方向の位置に対応した波長の光を選択的に受光することになる。
【０１０４】
図２９は、
駆動・分析部の回路構成の概要
【０１０５】
ここで、カウンタ回路３６６はスタート信号３６３を入力されるとライン同期信号３６４をカウントする。そして、たとえば第１の任意波長選択フィルタ部材３１１によって分光した４００ｎｍから４５０ｎｍの波長の光については
第２ラインのピクセル群の信号を分析結果として採用する
（キ）「【０１０７】
ところで、第２の任意波長選択フィルタ部材３１２が仮に図２８に示した２次元イメージセンサ３０７でＹ軸方向に４番目から６番目までのピクセル３５９に対応していたとする。この場合、カウンタ回路３６６はスタート信号３６３が入力されてライン同期信号３６４がたとえば５回カウントされた時点で更に次のライン同期信号３６４がカウントされるまで画素クロック３６５を１ライン分連続して読取クロック３６７として出力することになる。以下同様にしてカウンタ回路３６６は第３〜第１０の任意波長選択フィルタ部材３１３〜３２０にそれぞれ対応する１ラインずつの期間に読取クロック３６７を出力することになる。カウンタ回路３６６はライン同期信号３６４が何回カウントされたときに画素クロック３６５を１ライン分連続して読取クロック３６７として出力するかを表わした数値を、図示しないメモリに記憶している。」
（ク）【図１】
「　
　　　　　　　　　　　　　　　　　　　　　　　　　　　　　　」
（ケ）【図２】
「　
　　　　　　　　　　　　　　　　　　　　　　　　　　　　　　　」
（コ）【図３】
「　
　　　　　　　　　　　　　　　　　　　　　　　　　　　　　　　」
（サ）【図１２】
「　
　　　　　　　　　　　　　　　　　　　　　　　　　　　　　　　」
（シ）【図２７】
「　
　　　　　　　　　　　　　　　　　　　　　　　　　　　　　　　」
（ス）【図２８】
「　
　　　　　　　　　　　　　　　　　　　　　　　　　　　　　　」
（セ）【図３８】
「　
　　　　　　　　　　　　　　　　　　　　　　　　　　　　　　　」
（ソ）上記摘記事項（ウ）によれば、任意波長選択フィルタ部材は長手方向に膜厚勾配を有するものであるから、引用例１の図３に記載された任意波長選択フィルタ部材２０１の左端及び右端が、それぞれ任意波長選択フィルタ部材２０１の長手方向の一端及び他端に対応することは明らかである。
（タ）上記摘記事項（オ）の【表１】には、第１〜第１０の任意波長選択フィルタ部材３１１〜３２０のそれぞれに対応する透過波長が、第１の任意波長選択フィルタ部材３１１から第１０の任意波長選択フィルタ部材３２０の順に長くなっており、第６の任意波長選択フィルタ部材３１６の波長可変範囲が６８０〜７６０ｎｍ、第７の任意波長選択フィルタ部材３１７の波長可変範囲が７６０〜８４０ｎｍであることが示されている。
（チ）上記摘記事項（カ）及び（キ）から、駆動・分析部３０９は、第１〜第１０の任意波長選択フィルタ部材３１１〜３２０のそれぞれに対応する３ライン分のピクセル群の信号のうち、第２ラインのピクセル群の信号を分析結果として採用することが把握できる。
（ツ）上記摘記事項（サ）の【図１２】には、第１〜第１０の任意波長選択フィルタ部材３１１〜３２０が、第１の任意波長選択フィルタ部材３１１から第１０の任意波長選択フィルタ部材３２０の順に並んでいることが把握できる。
イ　引用例１に記載された発明の認定
　
　上記ア（ア）ないし（ツ）を含む引用例１全体の記載を総合すると、引用例１には、
　
「　白色光源３５０から出力される４００ｎｍから１１００ｎｍまでの波長範囲を包含する光を第１の光ファイバ３５１によって第１のコリメータレンズ３５２まで導き、コリメートされた光が波長のモニタの対象となるサンプル３５３に照射され、サンプル３５３を透過した光が、サンプル３５３を中心として第１のコリメータレンズ３５２と対称の位置に配置された第２のコリメータレンズ３５４により集光されて第２の光ファイバ３５５の一端に結合するようになっており、第２の光ファイバ３５５の他端に配置された拡大レンズ３５６によって拡大されたビーム径は第３のコリメータレンズ３５７に入射して平行な広帯域光３０２とされてバンド反射ミラー３０１に入射し、その反射光３０４１〜３０４１０が任意波長選択フィルタ３０５の第１〜第１０の任意波長選択フィルタ部材３１１〜３２０の対応するものに照射され、この任意波長選択フィルタ３０５によって波長ごとに分解された光が２次元イメージセンサ３０７に入射して、それぞれの波長の光の強度に応じたデータ３０８が駆動・分析部３０９に入力されて、波長ごとのモニタが行われるマルチチャネルモニタ３００であって、
　任意波長選択フィルタ３０５は、波長範囲が互いに異なる第１〜第１０の任意波長選択フィルタ部材３１１〜３２０によって構成されており、これら任意波長選択フィルタ部材３１１〜３２０は、それぞれ幅１ｍｍで長さが１０ｍｍのサイズであり、透明な基板２２１と、この基板２２１上に形成され、長手方向の一端から他端側に向けて位置に応じて一様に厚さが変化するＮｂ２Ｏ５を使用した透明な第１の誘電体薄膜２２２と、この第１の誘電体薄膜２２２の上に形成され、同じく長手方向の一端から他端側に向けて位置に応じて一様に厚さが変化するＳｉＯ２を使用した透明な第２の誘電体薄膜２２３とから構成されて長手方向に膜厚勾配を有し、第１の任意波長選択フィルタ部材３１１から第１０の任意波長選択フィルタ部材３２０の順に透過波長が長くなっていて、第６の任意波長選択フィルタ部材３１６の波長可変範囲は６８０〜７６０ｎｍ、第７の任意波長選択フィルタ部材３１７の波長可変範囲は７６０〜８４０ｎｍであり、第１の任意波長選択フィルタ部材３１１から第１０の任意波長選択フィルタ部材３２０の順に並べられて対向する側面同士が接着剤で固着されており、
　２次元イメージセンサ３０７は、Ｘ軸方向及びＹ軸方向に隙間なく配置された多数の升目状のピクセル３５９から構成されていて、第１の任意波長選択フィルタ部材３１１は、その長手方向がＸ軸方向と一致して配置され、Ｙ軸方向の３個ずつのピクセルと対応しており、２次元イメージセンサ３０７における第１の任意波長選択フィルタ部材３１１に対応した領域では、それぞれのピクセル３５９はＸ軸方向の位置に対応して４００ｎｍから４５０ｎｍまでの波長の光を選択的に受光し、第２〜第１０の任意波長選択フィルタ部材３１２〜３２０も第１の任意波長選択フィルタ部材３１１と同様にＸ軸方向を長手方向として配置され、Ｙ軸方向の３個ずつのピクセルと対応していて、これらのピクセルもそれぞれの波長範囲でＸ軸方向の位置に対応した波長の光を選択的に受光し、
　駆動・分析部３０９は、回路で構成され、第１〜第１０の任意波長選択フィルタ部材３１１〜３２０のそれぞれに対応する３ライン分のピクセル群の信号のうち、第２ラインのピクセル群の信号を分析結果として採用するように構成されている、
マルチチャネルモニタ３００。」
　
の発明（以下「引用発明」という。）が記載されている。
　
ウ　当審において新たに引用する、本願の優先日前に頒布された刊行物である特開２００１−２１２０７３号公報（以下「引用例２」という。）には、次の事項が記載されている（下線は当審において付加したものである。）。
　
（ア）「【０００６】また、励起光を照射された生体組織から発せられる蛍光は微弱なものであり、上記従来例ではその微弱な蛍光から、モザイクフィルタの各帯域フィルタを透過した蛍光の光強度を各画素毎に検出している。このため、各画素に蓄積される信号電荷が小さく、ノイズの影響を受け易い。一般に、このように各画素に蓄積される信号電荷が小さく、Ｓ／Ｎの劣化が大きい場合には、ビニング（Binning）読み出しにより、ノイズの影響を低減できる。このビニング読み出しとは、複数の画素における信号電荷を加算した後に読み出す方法であり、信号電荷を加算してから読み出すことにより、読み出しに要する時間が短くなり、信号電荷の読み出しに伴うノイズの混入を抑えることができる。」
　
（イ）「【００１４】前記撮像装置は、前記
撮像素子の複数個の画素の信号電荷を加算して読み出すビニング制御手段
ビニング制御手段としては、同一の波長帯域を透過させる帯域フィルタが設けられた画素の信号電荷を加算するものが好適である。
（ウ）「【００４３】ＣＣＤ撮像素子125 では、蛍光L4は、各画素で光電変換され、光の強弱に応じた信号電荷として蓄積され、所定時間毎に、ＣＣＤドライバ126 の駆動によりビニング読み出しにより読み出される。ＣＣＤ撮像素子125 の部分拡大模式図である図５を参照してＣＣＤ撮像素子125 からの信号電荷の読み出し動作の詳細を説明する。
【００４４】図５の斜線部に配置された画素24には、帯域フィルタ123aを透過した蛍光が入射し、その他の部分に配置された画素25には、帯域フィルタ123bを透過した蛍光が入射する。ＣＣＤ撮像素子125 では、各画素に蓄積された信号電荷は、一定時間後に、一斉に水平シフトレジスタ22の水平転送ＣＣＤ26に順次送り込まれる。
【００４５】水平シフトレジスタ22では、まず横１ラインの画素の信号電荷が入ると、次の横１ラインの画素の信号電荷が入るのを待ち、横２ライン分の信号電荷が、水平シフトレジスタ22に転送された後、信号を水平方向に転送し、左端に設けられた出力回路23を介して、出力する。水平転送ＣＣＤ26の信号電荷がすべて出力されると、次のラインとその次のラインの信号電荷が、画素から転送される。このような動作を繰り返すことにより、撮像面21の最下段のラインの画素の信号電荷とその上のラインの画素の信号電荷が加算され、左から右方向へ順次読み出される。
【００４６】例えば、１ラインと２ラインの信号電荷が加算されて読み出されると、次にその上の３ラインと４ラインの信号電荷が加算され加算され読み出され、順番に移動して、全画素、１画面の信号が読み出される。
【００４７】各ＣＣＤ撮像素子125 の画素に蓄積された電気信号は、このような
ビニング読み出しにより、上下２つの画素の信号電荷が加算された後読み出される。
上下の同一波長帯域のフィルタを透過した蛍光が入射する画素に蓄積された信号電荷が、加算されて信号処理回路131 に出力される。
（エ）【図５】
「
　　　　　　　　　　　　　　　　　　　　　　　　　　　　　　　」
エ　引用例２に記載された技術の認定
　
　上記ウ（ア）ないし（エ）を含む引用例２全体の記載を総合すると、引用例２には、以下の技術が記載されている。
「撮像素子の複数個の画素のうち、同一の波長帯域を透過させる帯域フィルタが設けられた２つの画素の信号電荷を加算して出力する技術。」
（以下「引用例２技術」という。）
（３）本願補正発明と引用発明との対比
　
ア　対比
　
　本願補正発明と引用発明とを対比する。
　
（ア）
ａ　引用発明の「白色光源３５０から出力される４００ｎｍから１１００ｎｍまでの波長範囲を包含する光」は、「サンプル３５３」に照射されることから、「サンプル３５３」を刺激するものであり、光が波長により異なる特性を有していることは技術常識であるから、「サンプル３５３」に対して複数種類の刺激を与えるものといえる。また、少なくとも、「光」という一種類の刺激を与えるものである。
ｂ　引用発明の「サンプル３５３」は、照射された光に応じて光を「透過」させるものであるから、照射された光に反応して光を出射するものといえる。
ｃ　引用発明の「サンプル３５３」は、上記摘記事項（２）ア（イ）に記載される一定時間間隔で行われる血糖値測定を受ける被験者の指を包含するものである。そして、一定時間間隔で行われる血糖値測定において、検出対象波長における透過光強度が経時的に変化することは技術常識である。
ｄ　以上のことから、引用発明の「白色光源３５０から出力される４００ｎｍから１１００ｎｍまでの波長範囲を包含する光」が「照射され」て、光を「透過」させる「サンプル３５３」は、本願補正発明の「一種類又は複数種類の刺激に反応して、波長に関する情報が経時的に変化する光を出射する刺激波長コンバータ」に相当する。
（イ）引用発明の「拡大レンズ３５６」、「任意波長選択フィルタ３０５」、「２次元イメージセンサ３０７」及び「マルチチャネルモニタ３００」は、その機能において、それぞれ本願補正発明の「拡散部材」、「透過構造」、「光子検知部材」及び「装置」に相当する。
（ウ）引用発明の「拡大レンズ３５６」は「サンプル３５３を透過した光」を「拡大」させ、「拡大されたビーム」が「第３のコリメータレンズ３５７」及び「バンド反射ミラー３０１」を介して「任意波長選択フィルタ３０５」に照射されることから、引用発明の「拡大レンズ３５６」が、「任意波長選択フィルタ３０５」に照射される光を多方向沿いに広がるようにするためのものであることは明らかである。
　よって、引用発明の「サンプル３５３を透過した光」を「拡大」させる「拡大レンズ３５６」は、本願補正発明の「透過構造の入射面上で一方向又は多方向沿いに拡がるよう刺激波長コンバータからの光を拡散させる拡散部材」に相当する。
（エ）
ａ　引用発明の「任意波長選択フィルタ３０５」を構成する「第１〜第１０の任意波長選択フィルタ部材３１１〜３２０」は、「透明な基板２２１」上に「第１の誘電体薄膜２２２」と「第２の誘電体薄膜２２３」とを順に形成したものであるから、最上層の「第２の誘電体薄膜２２３」が入射面を、最下層の「透明な基板２２１」が出射面を、それぞれ形成しているといえる。
ｂ　引用発明の「任意波長選択フィルタ３０５」は、「波長範囲が互いに異なる第１〜第１０の任意波長選択フィルタ部材３１１〜３２０」の「対向する側面同士」を「接着剤で固着」させたものであるから、「第１〜第１０の任意波長選択フィルタ部材３１１〜３２０」に対応した１０個の入射面を有している。
ｃ　「第１〜第１０の任意波長選択フィルタ部材３１１〜３２０」は透過させる光の「波長範囲が互いに異な」り、波長範囲の違いは「Ｎｂ２Ｏ５を使用した透明な第１の誘電体薄膜２２２と、この第１の誘電体薄膜２２２の上に形成され」る「ＳｉＯ２を使用した透明な第２の誘電体薄膜２２３」との合計の膜厚の違いによってもたらされるものであるから、「第１〜第１０の任意波長選択フィルタ部材３１１〜３２０」の入射面の高さが異なっていることは明らかである。
ｄ　「第１〜第１０の任意波長選択フィルタ部材３１１〜３２０」は「透過波長が長くなってい」く順番である「第１の任意波長選択フィルタ部材３１１から第１０の任意波長選択フィルタ部材３２０の順に並べられて対向する側面同士が接着剤で固着され」ていることから、引用発明の「任意波長選択フィルタ３０５」の入射面は、第１の任意波長選択フィルタ部材３１１から第１０の任意波長選択フィルタ部材３２０にかけて段差状の勾配を有し、「第１〜第１０の任意波長選択フィルタ部材３１１〜３２０」が並べられた方向に「透過波長」が変化するものである。
ｅ　そして、引用発明の「透過波長」は、本願補正発明の「光子エネルギ透過特性」に相当する。
ｆ　以上のことから、引用発明の「サンプル３５３を透過した光が」「拡大レンズ３５６によって拡大され」て「照射され」る「任意波長選択フィルタ３０５」であって、それぞれ「透明な基板２２１と、この基板２２１上に形成され」、「Ｎｂ２Ｏ５を使用した透明な第１の誘電体薄膜２２２と、この第１の誘電体薄膜２２２の上に形成され」た「ＳｉＯ２を使用した透明な第２の誘電体薄膜２２３とから構成され」る「第１〜第１０の任意波長選択フィルタ部材３１１〜３２０」を、「透過波長が長くなってい」く「第１の任意波長選択フィルタ部材３１１から第１０の任意波長選択フィルタ部材３２０の順に並べ」て「対向する側面同士」を「接着剤で固着」した「任意波長選択フィルタ３０５」は、本願補正発明の「拡散部材を介しその入射面にて刺激波長コンバータから受光するとともに、その出射面から光を出射する透過構造であって、その入射面は、複数の面と、隣接する面同士を繋ぐ段差状の勾配とが設けられるように形成され、その光子エネルギ透過特性が複数の面間で入射面沿いに横変している透過構造」に相当する。
（オ）
ａ　引用発明の「２次元イメージセンサ３０７は、Ｘ軸方向及びＹ軸方向に隙間なく配置された多数の升目状のピクセル３５９から構成されていて、第１の任意波長選択フィルタ部材３１１は、その長手方向がＸ軸方向と一致して配置され、Ｙ軸方向の３個ずつのピクセルと対応しており、２次元イメージセンサ３０７における第１の任意波長選択フィルタ部材３１１に対応した領域では、それぞれのピクセル３５９はＸ軸方向の位置に対応して４００ｎｍから４５０ｎｍまでの波長の光を選択的に受光し、第２〜第１０の任意波長選択フィルタ部材３１２〜３２０も第１の任意波長選択フィルタ部材３１１と同様にＸ軸方向を長手方向として配置され、Ｙ軸方向の３個ずつのピクセルと対応していて、これらのピクセルもそれぞれの波長範囲でＸ軸方向の位置に対応した波長の光を選択的に受光」するものであるから、「２次元イメージセンサ３０７」の「多数の升目状のピクセル３５９」には、第１〜第１０の任意波長選択フィルタ部材３１１〜３２０それぞれの同じＸ軸方向位置を透過した光、すなわち同じ波長を有する光を受光するＹ軸方向の位置が異なる３個のピクセルが存在している。
ｂ　よって、引用発明の「２次元イメージセンサ３０７」には、第６の任意波長選択フィルタ部材３１６の透過波長が６８０ｎｍであるＸ軸方向位置に、波長６８０ｎｍの透過光を受光するＹ軸方向位置の異なる３個のピクセルが存在し、第７の任意波長選択フィルタ部材３１７の透過波長が８３０ｎｍであるＸ軸方向位置に、Ｙ軸方向位置の異なる波長８３０ｎｍの透過光を受光する３個のピクセルが存在している。
ｃ　してみると、引用発明における「第６の任意波長選択フィルタ部材３１６」の透過波長６８０ｎｍであるＸ軸方向位置を透過した光を受光する「３個のピクセル」の位置及び「第７の任意波長選択フィルタ部材３１７」の透過波長８３０ｎｍであるＸ軸方向位置を透過した光を受光する「３個のピクセル」の位置は、それぞれ本願補正発明の「透過構造の第１の面から出射された第１の波長を有する光を受光する第１の複数の検知位置」及び「透過構造の第２の面から出射された第２の波長を有する光を受光する第２の複数の検知位置」に相当する。
ｄ　また、「任意波長選択フィルタ３０５によって波長ごとに分解された光が２次元イメージセンサ３０７に入射して、それぞれの波長の光の強度に応じたデータ３０８が駆動・分析部３０９に入力され」ることから、「２次元イメージセンサ３０７」の各「ピクセル３５９」は、受光した「それぞれの波長の光の強度に応じた」電気信号を出力するものといえる。
ｅ　以上のことから、引用発明の「第６の任意波長選択フィルタ部材３１６」の透過波長６８０ｎｍであるＸ軸方向位置を透過した光を受光するＹ軸方向位置の異なる「３個のピクセル」及び「第７の任意波長選択フィルタ部材３１７」の透過波長８３０ｎｍであるＸ軸方向位置を透過した光を受光するＹ軸方向位置の異なる「３個のピクセル」であって、「それぞれの波長の光の強度に応じたデータ３０８」を「駆動・分析部３０９に入力」する「２次元イメージセンサ３０７」の６個の「ピクセル」は、本願補正発明の「透過構造の第１の面から出射された第１の波長を有する光を受光する第１の複数の検知位置と、透過構造の第２の面から出射された第２の波長を有する光を受光する第２の複数の検知位置とが設けられるとともに、第１の複数の検知位置及び第２の複数の検知位置のそれぞれにて検知した光子量を示す電気信号を出力する、光子検知部材」に相当する。
（カ）
ａ　引用発明の「駆動・分析部３０９」は、「第１〜第１０の任意波長選択フィルタ部材３１１〜３２０のそれぞれに対応する３ライン分のピクセル群の信号のうち、第２ラインのピクセル群の信号を分析結果として採用する」ものであるから、引用発明の「駆動・分析部３０９」が、「第６の任意波長選択フィルタ部材３１６」の透過波長６８０ｎｍであるＸ軸方向位置を透過した光及び「第７の任意波長選択フィルタ部材３１７」の透過波長８３０ｎｍであるＸ軸方向位置を透過した光のそれぞれに対しても、第２ラインに相当するピクセルの信号を分析結果として採用することは明らかである。
ｂ　引用発明の「駆動・分析部３０９」が、「第１〜第１０の任意波長選択フィルタ部材３１１〜３２０のそれぞれに対応する３ライン分のピクセル群の信号のうち、第２ラインのピクセル群の信号を分析結果として採用する」ことは、同じ波長の透過光を受光するＹ軸方向の位置が異なる３個のピクセルから出力される電気信号のうち、Ｙ軸方向の２番目のピクセルから出力される電気信号を選択することにより、その透過光の波長に関する信号として取得することにほかならず、同じ波長の透過光を受光するＹ軸方向の位置が異なるＹ軸方向の２番目のピクセル及び３番目のピクセルから出力される電気信号のうち、Ｙ軸方向の２番目のピクセルから出力される電気信号を選択することにより、その透過光の波長に関する信号として取得することといえる。
ｃ　上記（オ）ｃを踏まえると、引用発明の「第６の任意波長選択フィルタ部材３１６」の透過波長６８０ｎｍであるＸ軸方向位置を透過した光を受光するＹ軸方向位置の異なる「３個のピクセル」のうち、Ｙ軸方向の２番目のピクセル及び３番目のピクセルは、それぞれ本願補正発明の「第１の複数の検知位置の一つに対応する光子検知部材」及び「第１の複数の検知位置の他の一つに対応する光子検知部材」に相当する。
　同様に、引用発明の「第７の任意波長選択フィルタ部材３１７」の透過波長８３０ｎｍであるＸ軸方向位置を透過した光を受光するＹ軸方向位置の異なる「３個のピクセル」のうち、Ｙ軸方向の２番目のピクセル及び３番目のピクセルは、それぞれ本願補正発明の「第２の複数の検知位置の一つに対応する光子検知部材」及び「第２の複数の検知位置の他の一つに対応する光子検知部材」に相当する。
ｄ　引用発明の「駆動・分析部３０９」が「第２ラインのピクセル群の信号を分析結果として採用する」ことは、波長に関する情報を決定することであるから、引用発明の「駆動・分析部３０９」は、「光の波長帯域における波長偏倚を検知するための回路」である。
ｅ　してみると、引用発明の「第１〜第１０の任意波長選択フィルタ部材３１１〜３２０のそれぞれに対応する３ライン分のピクセル群の信号のうち、第２ラインのピクセル群の信号を分析結果として採用するように構成されている」「駆動・分析部３０９」と、本願補正発明の「光の波長帯域における波長偏倚を検知するための回路であって、光子検知部材を備え、第１の複数の検知位置の一つに対応する光子検知部材と第１の複数の検知位置の他の一つに対応する光子検知部材とから出力されたそれぞれの電気信号を演算処理して第１の波長に関する信号を取得するとともに、第２の複数の検知位置の一つに対応する光子検知部材と第２の複数の検知位置の他の一つに対応する光子検知部材とから出力されたそれぞれの電気信号を演算処理して第２の波長に関する信号を取得し、それぞれ取得した第１の波長に関する信号及び第２の波長に関する信号に基づいた、光子量の差を表す差分信号を出力する回路」とは、「光の波長帯域における波長偏倚を検知するための回路であって、第１の複数の検知位置の一つに対応する光子検知部材と第１の複数の検知位置の他の一つに対応する光子検知部材とから出力されたそれぞれの電気信号より第１の波長に関する信号を取得するとともに、第２の複数の検知位置の一つに対応する光子検知部材と第２の複数の検知位置の他の一つに対応する光子検知部材とから出力されたそれぞれの電気信号より第２の波長に関する信号を取得する回路」である点において共通する。
（キ）上記（ウ）及び（エ）を踏まえると、引用発明において、「サンプル３５３を透過した光」が「拡大レンズ３５６」によって「任意波長選択フィルタ３０５」の入射面上で拡大される方向が、「任意波長選択フィルタ３０５」における「第１〜第１０の任意波長選択フィルタ部材３１１〜３２０」が並べられる方向、すなわち、透過させる光の波長が横変する方向、と直交していない方向を含むことは明らかである。
イ　一致点
　
　よって、本願補正発明と引用発明とは、
　
「　一種類又は複数種類の刺激に反応して、波長に関する情報が経時的に変化する光を出射する刺激波長コンバータと、
　透過構造の入射面上で一方向又は多方向沿いに拡がるよう刺激波長コンバータからの光を拡散させる拡散部材と、
　拡散部材を介しその入射面にて刺激波長コンバータから受光するとともに、その出射面から光を出射する透過構造であって、その入射面は、複数の面と、隣接する面同士を繋ぐ段差状の勾配とが設けられるように形成され、その光子エネルギ透過特性が複数の面間で入射面沿いに横変している透過構造と、
　透過構造の第１の面から出射された第１の波長を有する光を受光する第１の複数の検知位置と、透過構造の第２の面から出射された第２の波長を有する光を受光する第２の複数の検知位置とが設けられるとともに、第１の複数の検知位置及び第２の複数の検知位置のそれぞれにて検知した光子量を示す電気信号を出力する、光子検知部材と、
　光の波長帯域における波長偏倚を検知するための回路であって、第１の複数の検知位置の一つに対応する光子検知部材と第１の複数の検知位置の他の一つに対応する光子検知部材とから出力されたそれぞれの電気信号より第１の波長に関する信号を取得するとともに、第２の複数の検知位置の一つに対応する光子検知部材と第２の複数の検知位置の他の一つに対応する光子検知部材とから出力されたそれぞれの電気信号より第２の波長に関する信号を取得する回路と、
　を備え、
　透過構造の入射面上で光が拡がる方向が、透過構造の光子エネルギ透過特性の横変方向と直交していない方向を含むこととなるよう構成された装置。」　
　
の発明である点で一致し、次の３点で相違する。
　
ウ　相違点
　
（ア）相違点１
　第１の複数の検知位置の一つに対応する光子検知部材と第１の複数の検知位置の他の一つに対応する光子検知部材とから出力されたそれぞれの電気信号より第１の波長に関する信号を取得するとともに、第２の複数の検知位置の一つに対応する光子検知部材と第２の複数の検知位置の他の一つに対応する光子検知部材とから出力されたそれぞれの電気信号より第２の波長に関する信号を取得するに際して、本願補正発明は、検知位置の一つに対応する光子検知部材と検知位置の他の一つに対応する光子検知部材とから「出力されたそれぞれの電気信号を演算処理」するのに対し、引用発明は、検知位置の一つに対応する光子検知部材といえるＹ軸方向の２番目のピクセルと、検知位置の他の一つに対応する光子検知部材といえるＹ軸方向の３番目のピクセルとから出力されたそれぞれの電気信号のうち、検知位置の一つに対応する光子検知部材といえるＹ軸方向の２番目のピクセルから「出力された電気信号を選択」する点。
（イ）相違点２
　光の波長帯域における波長偏倚を検知するための回路が、本願補正発明は、「第１の波長に関する信号及び第２の波長に関する信号に基づいた、光子量の差を表す差分信号を出力する」のに対し、引用発明は、その点が特定されていない点。
（ウ）相違点３
　「光の波長帯域における波長偏倚を検知するための回路」と「光子検知部材」との相互関係に関して、本願補正発明は、「光の波長帯域における波長偏倚を検知するための回路」が「光子検知部材を備え」るのに対し、引用発明は、「光の波長帯域における波長偏倚を検知するための回路」（駆動・分析部３０９）が「光子検知部材」（２次元イメージセンサ３０７の６個のピクセル）を備えているか不明である点。
（４）当審の判断
　
ア　上記各相違点について検討する。
　
（ア）相違点１について
　測定技術一般において、複数のデータを演算処理することによって測定結果の確からしさを向上させることは常とう手段である。
　引用例２には、上記（２）エのとおり、「撮像素子の複数個の画素のうち、同一の波長帯域を透過させる帯域フィルタが設けられた２つの画素の信号電荷を加算して出力する技術。」である引用例２技術が記載されている。
　相違点１に係る本願補正発明の構成と引用例２技術とを対比すると、引用例２技術の「同一の波長帯域を透過させる帯域フィルタが設けられた２つの画素」は、本願補正発明の「検知位置の一つに対応する光子検知部材と検知位置の他の一つに対応する光子検知部材」に相当し、引用例２技術の「２つの画素の信号電荷を加算」することは、本願補正発明の「出力されたそれぞれの電気信号を演算処理」することに相当する。
　よって、相違点１に係る本願補正発明の構成と引用例２技術とは一致する。
　そして、引用発明と引用例２技術とは、いずれも波長ごとの光強度を検出するという共通する技術に関するものである。
　してみると、引用発明おいて、測定結果の確からしさを向上させるべく引用例２技術を採用し、第１及び第２の波長に関する信号を取得するに際して、検知位置の一つに対応する光子検知部材といえるＹ軸方向の２番目のピクセルから「出力された電気信号を選択」することに代えて、同一の波長帯域を透過させる帯域フィルタが設けられた２つの画素に相当する、検知位置の一つに対応する光子検知部材といえるＹ軸方向の２番目のピクセルと、検知位置の他の一つに対応する光子検知部材といえるＹ軸方向の３番目のピクセルとから「出力されたそれぞれの電気信号を加算」するようにし、すなわち、検知位置の一つに対応する光子検知部材と検知位置の他の一つに対応する光子検知部材とから「出力されたそれぞれの電気信号を演算処理」するものとして、上記相違点１に係る本願補正発明の発明特定事項のように構成することは、当業者が容易に想到し得ることである。
（イ）相違点２について
　引用例１には、血糖値測定の従来技術に関して、「被験者の指１０１には第１および第２の半導体レーザ（ＬＤ）１０２、１０３からそれぞれ第１の波長λ１（６８０ｎｍ）と第２の波長λ２（８３０ｎｍ）の２種類の波長の光１０４、１０５が照射される。・・・実際の血液の吸光度を第１の波長λ１と第２の波長λ２の光を使用して測定して、これらの波長λ１、λ２の吸光度の差ｄ１、ｄ２を取ることで、測定血液の還元ヘモグロビンと酸化ヘモグロビンの割合を判別するようにしている。」（上記摘記事項（２）ア（イ））との記載がある。
　ここで、引用例１の図３８には、λ１のにおける還元ヘモグロビンの吸光度と酸化ヘモグロビンの吸光度との差がｄ１であり、λ２における酸化ヘモグロビンの吸光度と還元ヘモグロビンの吸光度との差がｄ２であることが記載されているが、実際の血液の吸光度の測定からそのようなｄ１及びｄ２が得られないことは技術常識から明らかである。
　よって、引用例１に接した当業者であれば、上記摘記事項（２）ア（イ）の「実際の血液の吸光度を第１の波長λ１と第２の波長λ２の光を使用して測定して、これらの波長λ１、λ２の吸光度の差ｄ１、ｄ２を取ること」は、「実際の血液の吸光度を第１の波長λ１と第２の波長λ２の光を使用して測定して、これらの波長λ１、λ２の吸光度の差を取ること」、又は、「実際の血液の吸光度を第１の波長λ１と第２の波長λ２の光を使用して測定して、これらの波長λ１、λ２の吸光度ｄ１、ｄ２の差を取ること」の誤記であると理解するのが自然である。
　また、引用発明を引用例１に記載された血糖値測定に用いることは、極めて自然な発想である。
　してみると、引用発明において、血糖値測定に役立つように、波長６８０ｎｍにおける吸光度と波長８３０ｎｍにおける吸光度との差を取るべく、波長６８０ｎｍの透過光を受光するピクセルからの信号と波長８３０ｎｍの透過光を受光するピクセルからの信号との差を求めて出力するようにすることは、当業者が容易に想到し得ることである。
　そして、この場合の「波長６８０ｎｍの透過光を受光するピクセルからの信号」及び「波長８３０ｎｍの透過光を受光するピクセルからの信号」、並びに、これらのピクセルからの信号の「差」は、それぞれ上記相違点２に係る本願補正発明の構成である「第１の波長に関する信号」及び「第２の波長に関する信号」、並びに、「第１の波長に関する信号及び第２の波長に関する信号に基づいた、光子量の差を表す差分信号」に相当する。
　よって、引用発明において、上記相違点２に係る本願補正発明の発明特定事項のように構成することは、当業者が容易に想到し得ることである。
（ウ）相違点３について
　引用発明において、「駆動・分析部３０９」と「２次元イメージセンサ３０７」との相互関係をどのように構成するかは、「マルチチャネルモニタ３００」の全体構成等を考慮して決定し得る設計事項にすぎず、「駆動・分析部３０９」と「２次元イメージセンサ３０７」との間で電気信号が伝達されるものであるから、「駆動・分析部３０９」が「２次元イメージセンサ３０７」のピクセルを備えるように構成することに、格別の技術的困難性も特段の阻害要因もない。
　してみると、引用発明おいて、上記相違点３に係る本願補正発明の発明特定事項のように構成することは、当業者が容易に想到し得ることである。
イ　本願補正発明の奏する作用効果
　
　本願補正発明によってもたらされる効果は、引用発明及び引用例２技術から当業者が予測し得る程度のものである。
　
ウ　まとめ
　
　以上のとおりであり、本願補正発明は、引用発明及び引用例２技術に基いて当業者が容易に発明をすることができたものであるから、特許法第２９条第２項の規定により特許を受けることができない。
　
（５）補正の却下の決定のむすび
　
　したがって、本願補正発明は特許出願の際独立して特許を受けることができるものであるということができないから、本件補正は、平成１８年改正前特許法第１７条の２第５項において準用する同法第１２６条第５項の規定に違反するものであり、同法第１５９条第１項の規定において読み替えて準用する同法第５３条第１項の規定により却下されるべきものである。
　
　
第３　本願発明について
　
１　本願発明
　
　平成２５年１２月２５日付けの手続補正は上記のとおり却下されたので、本願の請求項１に係る発明（以下「本願発明」という。）は、平成２４年４月１３日付けの手続補正により補正された特許請求の範囲の請求項１に記載された事項により特定されるとおりのものである。（上記第２［理由］１の記載参照。）
　
２　引用例
　
　原査定の拒絶の理由に引用された引用例１の記載事項及び引用発明については、上記第２［理由］２の（２）引用例に記載したとおりである。
　
３　対比・判断
　
　本願発明は、上記第２［理由］２で検討した本願補正発明から、「透過構造」が「その入射面は、複数の面と、隣接する面同士を繋ぐ段差状の勾配とが設けられるように形成され」るとの限定事項及び光子エネルギ透過特性の入射面沿いの横変が「複数の面間で」生じているとの限定事項を削除し、「光子検知部材」の「複数の検知位置」が「透過構造の第１の面から出射された第１の波長を有する光を受光する第１の複数の検知位置と、透過構造の第２の面から出射された第２の波長を有する光を受光する第２の複数の検知位置」であることに係る限定事項を削除し、「異なる光子検知部材から出力された電気信号に基づいた、光子量の差を表す差分信号」が、「第１の複数の検知位置の一つに対応する光子検知部材と第１の複数の検知位置の他の一つに対応する光子検知部材とから出力されたそれぞれの電気信号を演算処理して第１の波長に関する信号を取得するとともに、第２の複数の検知位置の一つに対応する光子検知部材と第２の複数の検知位置の他の一つに対応する光子検知部材とから出力されたそれぞれの電気信号を演算処理して第２の波長に関する信号を取得し、それぞれ取得した第１の波長に関する信号及び第２の波長に関する信号に基づいた」ものであることに係る限定事項を削除したものに相当する。
　よって、本願発明と引用発明とを対比すると、上記第２［理由］２（３）の「ア　対比」において記載したのと同様の対比の手法及び結果により、本願発明と引用発明とは、
「　一種類又は複数種類の刺激に反応して、波長に関する情報が経時的に変化する光を出射する刺激波長コンバータと、
　透過構造の入射面上で一方向又は多方向沿いに拡がるよう刺激波長コンバータからの光を拡散させる拡散部材と、
　拡散部材を介しその入射面にて刺激波長コンバータから受光するとともに、その出射面から光を出射する透過構造であって、その光子エネルギ透過特性が入射面沿いに横変している透過構造と、
　透過構造から出射された光を受光する複数の検知位置が設けられるとともに、検知位置にて検知した光子量を示す電気信号を出力する、光子検知部材と、
　光の波長帯域における波長偏倚を検知するための回路と、
　を備え、
　透過構造の入射面上で光が拡がる方向が、透過構造の光子エネルギ透過特性の横変方向と直交していない方向を含むこととなるよう構成された装置。」
の発明である点において一致し、実質的に上記第２［理由］２（３）の「ウ　相違点」における「（イ）相違点２」及び「（ウ）相違点３」に相当する２つの相違点（すなわち、上記各相違点において「本願補正発明」を「本願発明」と置き換え、上記相違点２において波長に関する特定を排除したもの）においてのみ相違する。
　そして、上記相違点２及び３については、上記第２［理由］２（４）アの「（イ）相違点２について」及び「（ウ）相違点３について」で検討したとおりであり、また、本願発明によってもたらされる効果は、引用発明から当業者が予測し得る程度のものであることから、本願発明は、引用発明に基いて当業者が容易に発明をすることができたものである。
　
４　むすび
　
　以上のとおりであるから、本願発明は、特許法第２９条第２項の規定により特許を受けることができない。
　
　したがって、その余の請求項に係る発明について論及するまでもなく、本願は拒絶すべきものである。
　
　
　よって、結論のとおり審決する。